(57)【要約】      （修正有）【課題】ワンタッチで開閉する組立式収納箱を提供する。【解決手段】所定の立体的形態に組み立てるための１枚の厚紙を裁断して成る箱体１で、箱体の背面板部２の右端部３は曲折して右側面板部４を形成し、この右側面板部は左側方向に曲折して正面板部７を形成し、この正面板部の左端部８は直角に曲折して左側面板部９を形成し、この左側面板部の左側端部２５には背面板部との間に空間部１２を置いて前面板部１３を設け、この前面板部の右端部は右側面板部の内側に接着し、正面板部の右半部分の正中端部１６から右側面部１７を起立してその端部２３を前面板部に接着し、背面板部の底面部にその端部から内方に突設する半底板部１９’の水平中端部２０’を曲折部２１を介して別の半底板部の水平中端部の曲折部に係合し、右側面板部の底面部に設けた右底面部２２を背面板部の底面部の半底板部に接着し、左側面板部の底面部に設けた左底面部２４を背面板部の底面部の半底板部に接着して成る。【選択図】図２
0003223110.tif 000002
【実用新案登録請求の範囲】
【請求項１】
所定の立体的形態に組み立てるための１枚の厚紙を裁断して成る箱体で、箱体の背面板部の右端部は曲折して右側面板部を形成し、この右側面板部は左側方向に曲折して正面板部を形成し、この正面板部の左端部は直角に曲折して左側面板部を形成し、この左側面板部の左側端部には前記背面板部との間に空間部を置いて前面板部を設け、この前面板部の右端部は前記右側面板部の内側に接着し、前記正面板部の右半部分の正中端部から右側面部を起立してその端部を前記前面板部に接着し、前記背面板部の底面部にその端部から内方に突設する半底板部の水平中端部を曲折部を介して別の半底板部の水平中端部の曲折部に係合し、前記右側面板部の底面部に設けた右底面部を前記背面部の底面部の半底板部に接着し、前記左側面部の底面部に設けた左底面部を前記背面板部の底面部の半底板部に接着して成ることを特徴とする組立式収納箱。
【考案の詳細な説明】
【技術分野】
【０００１】
本考案は、組立式収納箱に関するものである。
【背景技術】
【０００２】
本考案は、厚紙を所定形状に形成するための手段としてワンタッチで組み立て可能な収納箱を提供するものであるところ、事前調査をしたが、該当するような公知文献を見出すことはできなかったのである。
【考案の概要】
【考案が解決しようとする課題】
【０００３】
本考案は、ワンタッチで開閉することができる組立式収納箱を提供することを目的とするものである。
【課題を解決するための手段】
【０００４】
本考案は、所定の立体的形態に組み立てるための１枚の厚紙を裁断して成る箱体で、箱体の背面板部の右端部は曲折して右側面板部を形成し、この右側面板部は左側方向に曲折して正面板部を形成し、この正面板部の左端部は直角に曲折して左側面板部を形成し、この左側面板部の左側端部には前記背面板部との間に空間部を置いて前面板部を設け、この前面板部の右端部は前記右側面板部の内側に接着し、前記正面板部の右半部分の正中端部から右側面部を起立してその端部を前記前面板部に接着し、前記背面板部の底面部にその端部から内方に突設する半底板部の水平中端部を曲折部を介して別の半底板部の水平中端部の曲折部に係合し、前記右側面板部の底面部に設けた右底面部を前記背面部の底面部の半底板部に接着し、前記左側面部の底面部に設けた左底面部を前記背面板部の底面部の半底板部に接着して成るものである。
【考案の効果】
【０００５】
本収納箱は、小売，購入時には薄厚に折り畳まれているものであるところ、これを各自が個別に使用するために開拡すれば、各角端部が直角形状の箱体と化するから、その箱体内に形成される空間部に任意の物品を収納する作業を、人は円滑かつ迅速に行うことができるのであり、その取扱いが極めて便利な収納箱である。
【図面の簡単な説明】
【０００６】
【図１】本体要部の厚紙の展開状態図
【図２】箱体全体の組立て中の平斜視図
【図３】箱体全体の組立て後の底面図
【考案を実施するための形態】
【０００７】
人は、折り畳まれている本部材をワンタッチで函形状に開拡する作業をするだけで終わるのであり、手数をかけることなく簡単な作業をするだけで確実に組み立てたり折り畳んだりすることができ、かつ、その際に起こるであろう底面部の損傷を軽減することができるのである。
【実施例】
【０００８】
１は１枚の厚紙を任意形状に曲折して構成した箱体で、この箱体の背面板部２の右端部３は曲折して右側面板部４を形成し、この右側面板部は切欠部５を形成した後に、切欠部５の前端部６を左側方向に曲折して正面板部７を形成する。
【０００９】
この正面板部７の左端部８は直角に曲折して左側面板部９を形成し、この左側面板部にも小さい切欠部１０を形成し、この左側面板部９の左側端部１１には前記背面板部２との間に空間部１２を置いて前面板部１３を設け、この前面板部の右端板部１４は右側面板部４の内側部に接着固定するように成る。
【００１０】
前記背面板部２の左端部は曲折して前記前面板部１３に延長する左端面部２５を形成し、この左端面部の外側には前記左側面板部９が接着固定するように成る。
【００１１】
１５，１５は前記正面板部７の左半部分の上側部と下側部に設けた大小適当大きさの透孔部で、この透孔部を有する正面板部７の右半部分の正中端部１６から右側面部１７を起立して、その端部１８は後側方に位置する前記前面板部１３に接着固定するように成る。
【００１２】
１９は前記背面板部２の底面部にその水平中端部から内方に水平に突設する半底板部で、この半底板部の水平中端部２０は曲折部２１を介して、後記半底板部１９’の水平中端部２０’の曲折部２１’に係合するように成る。
【００１３】
１９’前記正面板部７の底面部にその水平中端部２０’から内方に水平に突設する半底板部で、この半底板部の水平中端部２０’は曲折部２１’を介して、前記半底板部１９の水平中端部２０の曲折部２１に係合するように成る。
【００１４】
２２は前記右側面板部４の底面部にその端部２３を曲折して設ける右底面部で、この右底面部の末端部は前記背面板部２の底面部の半底板部１９に接着固定する。
【００１５】
２４は前記左側面部９の底面部にその端部２６を曲折して設ける左底面部で、この左底面部の末端部は前記正面部７の底面部の半底板部１９’に接着固定する。
【符号の説明】
【００１６】
１                            箱体
２                            背面板部
３                            右端部
４                            右側面板部
５                            切欠部
６                            前端部
７                            正面板部
８                            左端部
９                            左側面板部
１０                          切欠部
１１                          左側端部
１２                          空間部
１３                          前面板部
１４                          右端部
１５，１５                    透孔部
１６                          正中端部
１７                          右側面部
１８                          端部
１９                          半底板部
１９’                        半底板部
２０                          水平中端部
２０’                        水平中端部
２１                          曲折部
２１’                        曲折部
２２                          右底面部
２３                          端部
２４                          左底面部
２５                          左端面部
２６                          端部
【図１】
0003223110.tif 000003
【図２】
0003223110.tif 000004
【図３】
0003223110.tif 000005
【手続補正書】
【提出日】令和1年7月22日(2019.7.22)
【手続補正１】
【補正対象書類名】明細書
【補正対象項目名】０００４
【補正方法】変更
【補正の内容】
【０００４】
本考案は、所定の立体的形態に組み立てるための１枚の厚紙を裁断して成る箱体で、箱体の背面板部の右端部は曲折して右側面板部を形成し、この右側面板部は左側方向に曲折して正面板部を形成し、この正面板部の左端部は直角に曲折して左側面板部を形成し、この左側面板部の左側端部には前記背面板部との間に空間部を置いて前面板部を設け、この前面板部の右端部は前記右側面板部の内側に接着し、前記正面板部の右半部分の正中端部から右側面部を起立してその端部を前記前面板部に接着し、前記背面板部の底面部にその端部から内方に突設する半底板部の水平中端部を曲折部を介して別の半底板部の水平中端部の曲折部に係合し、前記右側面板部の底面部に設けた右底面部を前記背面板部の底面部の半底板部に接着し、前記左側面板部の底面部に設けた左底面部を前記背面板部の底面部の半底板部に接着して成るものである。
【手続補正２】
【補正対象書類名】実用新案登録請求の範囲
【補正対象項目名】請求項１
【補正方法】変更
【補正の内容】
【請求項１】
所定の立体的形態に組み立てるための１枚の厚紙を裁断して成る箱体で、箱体の背面板部の右端部は曲折して右側面板部を形成し、この右側面板部は左側方向に曲折して正面板部を形成し、この正面板部の左端部は直角に曲折して左側面板部を形成し、この左側面板部の左側端部には前記背面板部との間に空間部を置いて前面板部を設け、この前面板部の右端部は前記右側面板部の内側に接着し、前記正面板部の右半部分の正中端部から右側面部を起立してその端部を前記前面板部に接着し、前記背面板部の底面部にその端部から内方に突設する半底板部の水平中端部を曲折部を介して別の半底板部の水平中端部の曲折部に係合し、前記右側面板部の底面部に設けた右底面部を前記背面板部の底面部の半底板部に接着し、前記左側面板部の底面部に設けた左底面部を前記背面板部の底面部の半底板部に接着して成ることを特徴とする組立式収納箱。